(57)【特許請求の範囲】
【請求項１】
紙製外箱カートン１０と筒状フィルム２１の両端開口をシール２２した四角状の内袋２０とからなり、前記内袋２０は一方のシール部２２の重なり合うフィルム２１から対の舌片２３、２３がそれぞれ延設され、その一方の舌片２３が前記外箱カートン１０の開封片１１に接着されるとともに、他の舌片２３が前記開封片１１が接着される外箱カートン１０の側面に接着され、
上記開封片１１を引き上げて、外箱カートン１０の開封部を引き裂いて開放すると同時に、上記対の舌片２３、２３を引き離して前記シール部２２を開口するとともに内袋２０のフィルム２１を引き裂いて、外箱と内袋を同時に開封する包装容器であって、
上記対の舌片２３、２３を同一の大きさで重なり合うものとするとともに、上記一方のシール部２２の対向辺に前記舌片２３と同一向きで同一大きさの切欠２４を形成して、その舌片２３と切欠２４は同一軸ｏ上に位置し、かつ、その切欠２４の内側に上記他方のシール部２２を形成したことを特徴とする包装容器。
【請求項２】
上記他方のシール部２２より外側の内袋部分２５を外箱カートン１０に接着して、内袋２０を外箱カートン１０に固定するようにしたことを特徴とする請求項１に記載の包装容器。
【請求項３】
請求項１又は２に記載の包装容器でもって食品類を収容する包装方法であって、上記内袋２０に前記食品類を収容した後、その内袋２０を外箱カートン１０内に入れて、上記対の舌片２３の一方を開封片１１に接着するとともに他方を外箱カートン１０の側面に接着しつつ、外箱カートン１０を組立て封緘することを特徴とする包装方法。
【発明の詳細な説明】
【０００１】
【発明の属する技術分野】
この発明は、外箱と内袋を同時に容易に開封できる菓子、食品類を収容する包装容器及び包装方法に関するものである。
【０００２】
【従来の技術】
この種の包装容器は、従来から種々の態様のものが考案され、例えば、特開平７−２５１８３１号公報などに記載されている。それらの一般的な態様は、紙製外箱カートンと四角状のフィルム製内袋とから成り、内袋の開口部の両フィルムを延ばして、その一方を外箱カートンの開封片に接着するとともに、他方をその開封片が接着される外箱カートンの側面に接着したものである。
【０００３】
この包装容器にあっては、上記開封片を引き上げて、外箱カートンの開封部を引き裂いて開放すると同時に、上記開口部の両フィルムを引き離して開口するとともに内袋のフィルムを引き裂いて、外箱と内箱を同時に開封する。
【０００４】
【発明が解決しようとする課題】
ところで、従来の内袋５０は、一般的には、図６に示すように、ロールからフィルム５１を矢印方向に引き出しながらその中程を折目ｃとして重ね合わせて一定長さ間隔で幅方向（点部分）を溶着５２するとともに切断し、その長尺フィルム５３を、図７から図８に示すように長方体状に製袋し、菓子ａなどを収容した後、その開口を熱溶着５４した構成である。図中、５５は引き裂き用切欠である。詳細は、上記公開公報を参照。
【０００５】
しかし、図６の扁平長方形のフィルム５３から図 7、図８の長方体状への製袋は、その自動化が煩雑であり、自動機が高価なものとなっている。
【０００６】
また、この種の包装容器は、外箱カートンに予め内袋を接着し、それを組み立てて食品類を収容した後、封緘していた。このため、内袋の構成（製袋）が複雑とならざるを得なかった。因みに、外箱カートンに内袋を予め接着したものをバッグインカートンという。
【０００７】
この発明は、内袋を安価に製作し得るようにすることを課題とする。
【０００８】
【課題を達成するための手段】
上記課題を達成するために、この発明は、まず、内袋をガゼット袋のように、筒状フィルムの両端開口部をシールしたものとすることとしたのである。この態様の袋は、ロールからフィルムを引き出しながら、そのフィルムを筒状にし、その中に菓子などを収容するとともに両端をシールする作用が簡単であり、その自動機も安価であるからである。
【０００９】
つぎに、この発明は、シール部をなす両フィルムを延ばして舌片とし、その両舌片を開封片及びその開封片が接着される外箱側面に接着することとしたのである。このようにすれば、開封片を引き上げることにより、両舌片が引き離されてシール部が引き裂かれて内袋の開放がなされるからである。
【００１０】
さらに、この発明は、その両舌片を同一大きさで重なり合うものとするとともに、その舌片の反対側に同一大きさの切欠を同一軸上に形成することとしたのである。このようにすれば、ロールから引き出されるフィルムから内袋を順々に作る際、切欠の形成によって、後の内袋の舌片が形成されることとなって、フィルムの無駄がなくなる。
【００１１】
このように構成される内袋は、従来の袋詰めと同じ方法を採用できる。すなわち、上記公開公報のもののように、バッグインカートンとする必要もなく、安価な袋詰機を採用でき、既設のものも採用し得る。
【００１２】
【発明の実施の形態】
この発明の実施形態としては、紙製外箱カートンと筒状フィルムの両端開口をシールした四角状の内袋とからなり、前記内袋は一方のシール部の重なり合うフィルムから対の舌片がそれぞれ延設され、その一方の舌片が前記外箱カートンの開封片に接着されるとともに、他の舌片が前記開封片が接着される外箱カートンの側面に接着され、前記開封片を引き上げて、外箱カートンの開封部を引き裂いて開放すると同時に、前記対の舌片を引き離して前記シール部を開口するとともに内袋のフィルムを引き裂いて、外箱と内袋を同時に開封する包装容器であって、前記対の舌片を同一の大きさで重なり合うものとするとともに、前記一方のシール部の対向辺に前記舌片と同一向きで同一大きさの切欠を形成して、その舌片と切欠は同一軸上に位置し、かつ、その切欠の内側に上記他方のシール部を形成した構成を採用し得る。
【００１３】
この構成において、上記他方のシール部より外側の内袋部分を外箱カートンに接着して、内袋を外箱カートンに固定するようにすれば、その外側内袋部分には収容物がないため、接着し易く、そのため、内袋の固定も安定かつ確実に行うことができる。
【００１４】
これらの構成の包装容器でもって食品類を収容するには、上記内袋に食品類を収容した後、その内袋を外箱カートン内に入れて、上記対の舌片の一方を開封片に接着するとともに他方を外箱カートンの側面に接着しつつ、外箱カートンを組立て封緘する包装方法を採用し得る。このとき、食品類入りの内袋を外箱カートンに入れる時点は、その外箱カートンを全く組立てていない時点から、封緘する時点までの最も適当な時点を適宜に採用する。
【００１５】
【実施例】
一実施例を図１乃至図５に示し、まず、紙製外箱カートン１０は、図１（ａ）に示す、一般の展開平面を示すものであって、同図（ｂ）〜（ｄ）に示すように製函され、その開封片１１を図２（ａ）から図２（ｂ）に示すように引き上げることにより開放される。図中、ｒは折目線、ｑはミシン目、ｓは切り目である。
【００１６】
内袋２０は、アルミ箔をポリエチレン、ポリプロピレンなどの層でサンドイッチ状にした積層フィルム２１から成り、図４及び図５に示すように、ロールから引き出したフィルム２１をガゼット折りしてその両端開口部をシール２２し、そのシール部２２、２２の外側に舌片２３及び切欠２４を形成したものである。その舌片２３と切欠２４は同一軸ｏ上にある。このため、図５に示すように、ロールから引き出されたフィルム２１を筒状にしてその対向縁（側縁）を溶着 (点部分）するとともに、ガゼット折りして、その中に菓子ａなどを収容し、その両端をシール２２して、切断すれば、先行の内袋２０の切欠２４と後行の内袋２０の舌片２３が同時に形成される。
【００１７】
なお、シール２２は、切欠２４側を先に行い、菓子などの収容後に舌片２３側を行うこととなる。このため、シール２２は、前後の内袋２０、２０の舌片２３側と切欠２４側を同時に行うか、又は、それぞれのシール２２を別々に行う。例えば、一の内袋２０の切欠２４側のシール２２、菓子ａなどの収容、舌片２３側のシール２２、内袋２０の引き出しフィルム２１からの切り離し、つぎの内袋２０の切欠２３側のシール２２・・・のように行う。
【００１８】
この外箱カートン１０と内袋２０でもって、菓子ａなどを収容するには、まず、図１（ａ）から図１（ｂ）の状態に、外箱カートン１０を組み立て、図１（ｃ）に示すように、別途、菓子ａを収容した内袋２０をその外箱カートン１０内に入れる。
【００１９】
そのとき、図３（ａ）に示すように、内袋２０の一方の舌片２３を外箱カートン１０の開封片１１の裏面に接着するとともに、他の舌片２３を開封片１１が接着される外箱カートン１０の側面１０ａに接着する。また、切欠２４の外側部分２５を外箱カートン１０の内面に接着して、内袋２０を外箱カートン１０に固定する。内袋２０と外箱カートン１０の接着は、内袋２０の下面の適宜個所など任意である。
【００２０】
このように、内袋２０を包装した外箱カートン１０は、図２（ａ）及び図３（ｂ）に示すように、従来と同様に、開封片１１を引き上げると、外箱カートン１０の開封部が引き裂かれて開放されるとともに、一方の舌片２３が引き上げられ、内袋２０がシール部２２が剥がされることにより開放される。さらに、図２（ｂ）に示すように、開封片１１を引き上げれば、内袋２０は引き裂かれて大きく開口する。
【００２１】
この開封時、内袋２０の舌片２３側シール部２２に、上記公開公報のごとく、帯状剥離層、帯状傷痕部などの種々の剥離容易性機能を付加すれば、その開封作用がスムースとなる。また、フィルム２１に、開封片１１の引き上げ方向（引き裂き方向）の一軸延伸のものを使用すれば、その内袋２０の開封もスムースとなる。
【００２２】
【発明の効果】
この発明は、以上のようにしたので、内袋を安価に製作することができ、このため、易開封性包装容器を安価に得ることができ、また、包装コストも低減できる。
【図面の簡単な説明】
【図１（ａ）】一実施例の組立作用図
【図１（ｂ）】同実施例の組立作用図
【図１（ｃ）】同実施例の組立作用図
【図１（ｄ）】同実施例の組立作用図
【図２（ａ）】同実施例の開封作用斜視図
【図２（ｂ）】同実施例の開封作用斜視図
【図３（ａ）】同実施例の開封作用断面図
【図３（ｂ）】同実施例の開封作用断面図
【図４】同実施例の内袋の斜視図
【図５】同内袋の製作説明図
【図６】従来例の内袋の製作説明図
【図７】同内袋の製作説明図
【図８】同内袋の製作説明図
【符号の説明】
１０  外箱カートン
１１  開封片
２０  内袋
２１  フィルム
２２  シール（部）
２３  舌片
２４  切欠
２５  外側部分
ａ  菓子
【図１（ａ）】
0003961821.tif 000002
【図１（ｂ）】
0003961821.tif 000003
【図１（ｃ）】
0003961821.tif 000004
【図１（ｄ）】
0003961821.tif 000005
【図２（ａ）】
0003961821.tif 000006
【図２（ｂ）】
0003961821.tif 000007
【図３（ａ）】
0003961821.tif 000008
【図３（ｂ）】
0003961821.tif 000009
【図４】
0003961821.tif 000010
【図５】
0003961821.tif 000011
【図６】
0003961821.tif 000012
【図７】
0003961821.tif 000013
【図８】
0003961821.tif 000014